(57)【要約】      （修正有）【課題】分解した傘の素材を分類して廃棄できるエコ傘を提供する。【解決手段】中棒１０と、複数の傘骨４０と、中棒１０の上段に環装される上ロクロ装置２と、中棒１０に環摺動可能に装される下ロクロ装置３と、手元６０と、各傘骨４０に支持される傘布とを備え、上ロクロ及び下ロクロの外周縁にそれぞれ対向し合う側壁部を有する複数の傘骨溝が凹設され、各側壁部に軸孔に挿設可能な枢軸が突設され、上ロクロカバーと下ロクロ座における、上ロクロと下ロクロの傘骨溝と対応する位置に、傘骨溝内の２つの枢軸の間に位置する位置決めブロックを突設する。【選択図】図１
0003151542.tif 000002
【実用新案登録請求の範囲】
【請求項１】
連結端（６１１）と連結端（６１１）に凹設される収容孔（６１２）とを有するつまみ（６１）と、軸方向に貫通孔（６３３）が形成されると共に、一端に該貫通孔（６３３）と連通する外部掛止孔（６３２２）が径方向に穿設され、該外部掛止孔（６３２２）が穿設される端部が該連結端（６１１）から露出するように収容孔（６１２）に挿設されるスリーブ（６３）と、該外部掛止孔（６３２２）を貫通して収容孔（６１２）に挿設される位置決めピン（６４１）が設けられるピン座（６４）とを含む手元（６０）と、
パイプ体であり、下部が回転不能の状態でつまみ（６１）の収容孔（６１２）に挿入されると共に、外部掛止孔（６３２２）と対応する位置に前記位置決めピン（６４１）を収容するための内部掛止孔（１２）が形成される中棒（１０）と、
一端に扁平状の枢着プレート（４１A、４１B）が設けられると共に、該枢着プレート（４１A、４１B）に軸孔（４２A、４２B）が貫設される複数の傘骨（４０）と、
環状を呈する上ロクロ（２１）及び上ロクロカバー（２２）を含み、着脱可能に中棒（１０）の上段に環装される上ロクロ装置（２）と、
環状を呈する下ロクロ（３１）及び下ロクロ座（３２）を含み、前記上ロクロ装置（２）の下方において摺動可能に中棒（１０）に環装される下ロクロ装置（３）と、
前記中棒（１０）の上段に環装され、前記上ロクロ装置（２）を中棒（１０）に固定させるための先端部（５０）と、
前記各傘骨（４０）に支持される傘布とを備え、
前記上ロクロ（２１）の外周縁に所定間隔をおいて対向し合う、側壁部（２１３１）を有する複数の傘骨溝（２１３）が凹設され、該各側壁部（２１３１）に前記軸孔（４２A）に挿設可能な枢軸（２１３３）が突設され、
前記上ロクロカバー（２２）は、上ロクロ（２１）の上方に取り付けられ、該上ロクロカバー（２２）における、上ロクロ（２１）の傘骨溝（２１３）と対応する位置に、該傘骨溝（２１３）内の２つの枢軸（２１３３）の間に位置する位置決めブロック（２２２）が突設され、
前記下ロクロ（３１）の外周縁に所定間隔をおいて対向し合う、側壁部（３１２１）を有する複数の傘骨溝（３１２）が凹設され、該各側壁部（３１２１）に前記軸孔（４２B）に挿設可能な枢軸（３１２３）が突設され、
前記下ロクロ座（３２）は、下ロクロ（３１）の下方に取り付けられ、該下ロクロ座（３２）における、下ロクロ（３１）の傘骨溝（３１２）と対応する位置に、該傘骨溝（３１２）内の２つの枢軸（３１２３）の間に位置する位置決めブロック（３２３）が突設されることを特徴とするエコ傘。
【請求項２】
前記上ロクロ（２１）における各傘骨溝（２１３）の２つの側壁部（２１３１）の間に、更に係合溝（２１３４）を有する中央壁部（２１３２）が設けられ、該係合溝（２１３４）と上ロクロ（２１）の下端との隣接部位に位置決めプレート（２１３５）が突設され、該位置決めプレート（２１３５）から側壁部（２１３１）までの距離が、前記傘骨（４０）の枢着プレート（４１A）の幅と対応し、
前記上ロクロカバー（２２）における各位置決めブロック（２２２）に、前記上ロクロ（２１）における傘骨溝（２１３）の２つの側部壁（２１３１）と対応する２つの端壁部（２２２１）と、該２つの端壁部（２２２１）の間に位置し、前記係合溝（２１３４）に進入可能な前側壁部（２２２２）とが設けられると共に、該端壁部（２２２１）に、傘骨溝（２１３）内の枢軸（２１３３）の自由端を収容するための軸溝（２２２３）が凹設され、
前記下ロクロ（３１）における各傘骨溝（３１２）の２つの側壁部（３１２１）の間に、更に係合溝（３１２４）を有する中央壁部（３１２２）が設けられ、該係合溝（３１２４）と下ロクロ（３１）の上端との隣接部位に位置決めプレート（３１２５）が突設され、該位置決めプレート（３１２５）から側壁部（３１２１）までの距離が、前記傘骨（４０）の枢着プレート（４１B）の幅と対応し、
前記下ロクロ座（３２）における各位置決めブロック（３２３）に、前記下ロクロ（３１）における傘骨溝（３１２）の２つの側部壁（３１２１）と対応する２つの端壁部（３２３１）と、該２つの端壁部（３２３１）の間に位置し、前記下ロクロ（３１）の傘骨溝（３１２）における係合溝（３１２４）に進入可能な前側壁部（３２３２）とが設けられると共に、該端壁部（３２３１）に、傘骨溝（３１２）内の枢軸（３１２３）の自由端を収容するための軸溝（３２３３）が凹設されることを特徴とする請求項１に記載のエコ傘。
【請求項３】
前記中棒（１０）の底部には、中棒（１０）から露出する円柱状の位置決め柱（１３１）を有する方向決め部材（１３）が回転不能に固設され、
前記つまみ（６１）における収容孔（６１２）の壁面に軸方向に沿って位置決め溝（６１３）が凹設されると共に、底部に中棒（１０）の下部を収容するための挿入溝（６１４）が凹設され、該挿入溝（６１４）の底部に更に前記位置決め柱（１３１）の形状と対応する位置決め穴（６１５）が凹設され、
前記スリーブ（６３）は、前記つまみ（６１）における収容孔（６１２）のサイズに対応するチューブ体である埋設部（６３１）と、軸方向と径方向に沿って前記埋設部（６３１）の一端から延出するように設けられるヘッド部（６３２）を有し、該埋設部（６３１）とヘッド部（６３２）に前記貫通孔（６３３）が形成されると共に、埋設部（６３１）の外部に位置決め凸部（６３１１）が軸方向に沿って突設され、該ヘッド部（６３２）に切欠部（６３２１）が形成されると共に、切欠部（６３２１）から前記外部掛止孔（６３２２）と２つの固定ピン孔（６３２３）が径方向に穿設され、
前記ピン座（６４）に、固定ピン孔（６３２３）に挿設するための２つの固定ピン（６４２）が設けられることを特徴とする請求項２に記載のエコ傘。
【請求項４】
前記位置決め柱（１３１）に欠切面が軸方向に形成されると共に、前記位置決め穴（６１５）が該位置決め柱（１３１）の形状と対応するように形成されることを特徴とする請求項３に記載のエコ傘。
【請求項５】
前記上ロクロカバー（２２）に貫通孔（２２１）が形成され、
前記上ロクロ（２１）の下端中央から軸方向に沿って結合部（２１１）が突設され、該結合部（２１１）に、上ロクロ（２１）の上端と連通する貫通孔（２１２）が形成されると共に、該貫通孔（２１２）の内壁から内部径方向に向かって突出ブロック（２１２２）が延設され、
前記中棒（１０）の上端は上ロクロ（２１）の貫通孔（２１２）に挿設されると共に、該上端に前記突出ブロック（２１２２）を係合するための切欠部（１１）が軸方向に形成されることを特徴とする請求項４に記載のエコ傘。
【請求項６】
前記上ロクロ（２１）の貫通孔（２１２）の上端内壁に内側へ延出するように、前記中棒（１０）の上端が当接する当接部（２１２１）が設けられ、
前記上ロクロカバー（２２）の貫通孔（２２１）の内壁に内側へ延出するように当接部（２２１１）が設けられ、
前記先端部（５０）は、一端に開口を有する中空の棒体である延伸管（５１）と、一側に位置し、延伸管（５１）の開口に螺合される上ネジ部（５２２）と、反対する側に位置する下ネジ部（５２１）と、両側の間に位置すると共に、径方向に向かって延設する突縁部（５２３）とを有する棒状の固定部材（５２）と、延伸管（５１）に取り付けられ、固定部材（５２）の上半部の周囲を被包するキャップ（５３）とを備え、
該固定部材（５２）における下ネジ部（５２１）は、中棒（１０）の上端に螺合されると共に、該突縁部（５２３）は、上ロクロカバー（２２）における貫通孔（２２１）内の当接部（２１２１）に当接されることを特徴とする請求項５に記載のエコ傘。
【請求項７】
前記下ロクロ（３１）の中央に前記中棒（１０）を挿入するための開口（３１１）が形成され、該開口（３１１）の内壁における相対する２つの位置に夫々凹溝（３１１１）が軸方向に沿って形成され、
前記下ロクロ座（３２）の中央に前記中棒（１０）を挿入するための貫通孔（３２１）が形成されると共に、その上段に径方向へ延出するツバ（３２２）、及び上方へ延出する、前記下ロクロ（３１）の開口（３１１）に挿入可能な中空の結合部（３２４）が設けられ、
前記ツバ（３２２）に前記位置決めブロック（３２３）が形成され、
前記結合部（３２４）における開口（３１１）側の面に、該凹溝（３１１１）内に移動可能な雄ネジ部（３２４１）が突設され、前記下ロクロ（３１）と下ロクロ座（３２）とを組み合わせ、これにより、下ロクロ（３１）の下端が下ロクロ座（３２）のツバ（３２２）に当接する時、該雄ネジ部（３２４１）は該凹溝（３１１１）から露出し、
前記下ロクロ装置（３）は更に中空の環状体である固定環状部材（３３）を含み、該固定環状部材（３３）の内面に前記結合部の雄ネジ部（３２４１）と螺合可能な雌ネジ部（３３１）が形成されることを特徴とする請求項１乃至６のいずれか一項に記載のエコ傘。
【請求項８】
前記上ロクロカバー（２２）の外壁に少なくとも２つの係合プレート（２２３）が間隔をおいて突設され、該各係合プレート（２２３）は、前記上ロクロ（２１）における隣接する２つの傘骨溝（２１３）の間と対応する位置に設けられると共に、末端に上ロクロカバー（２２）の中央に向かって湾曲する湾曲部（２２３１）が形成され、該上ロクロカバー（２２）と上ロクロ（２１）とを組み合わせて上ロクロ（２１）の下端が上ロクロ（２１）の上端に当接する時、該湾曲部（２２３１）は上ロクロ（２１）の下端に係合されることを特徴とする請求項７のいずれか一項に記載のエコ傘。
【請求項９】
前記手元（６０）は更に板材である装飾リング（６２）を含み、該装飾リング（６２）には、貫通孔（６２１）が形成されると共に、その貫通孔（６２１）の内周面にと上部嵌合段部（６２２）及び下部嵌合段部（６２３）が形成され、
前記つまみ（６１）における連結端（６１１）は、前記下部嵌合段部（６２３）に嵌合され、
前記スリーブ（６３）は、前記埋設部（６３１）と位置決め凸部（６３１１）が前記貫通孔（６２１）を通過して前記収容孔（６１２）と前記位置決め溝（６１３）に挿設されると共に、ヘッド部（６３２）が前記上部嵌合段部（６２２）に嵌合されるようにつまみ（６１）と装飾リング（６２）とに組み合わせられることを特徴とする請求項８に記載のエコ傘。
【請求項１０】
前記傘骨（４０）における枢着プレート（４１A，４１B）の端部は弧状に形成されると共に、前記下ロクロ座（３２）のツバ（３２２）における、各位置決めブロック（３２３）の端壁部（３２３１）と隣接する位置にそれぞれ、枢着プレート（４１B）の端部の形状と対応する弧状溝（３２２１）が形成されることを特徴とする請求項９に記載のエコ傘。
【考案の詳細な説明】
【技術分野】
【０００１】
本考案は、特に分解可能なエコ傘に関するものである。
【背景技術】
【０００２】
従来の傘フレームは、主に金属製の中棒と、該中棒の上部に取り付けられる上ロクロと、該中棒上において摺動可能に取り付けられる下ロクロと、該上ロクロ若しくは下ロクロ装置に枢設される複数の傘骨と、中棒の下部に取り付けられる手元と、中棒の上部に取り付けられる先端部とを有する。該上ロクロと中棒には、該上ロクロを回転不能に中棒の上部に固設するための固定ピンが挿設される。
また、前記複数の傘骨を上ロクロ若しくは下ロクロに枢設するために、該上ロクロ及び下ロクロに複数の傘骨溝が形成されると共に、全ての傘骨溝を貫く金属線材が設置され、更に各傘骨の一端に貫通孔が形成される。
更に、この構成によれば、該端を、対応する傘骨溝に設置して貫通孔に金属線材を挿通させ、傘骨を上ロクロ若しくは下ロクロに枢設させ、手元は中棒からの脱落を防ぐために接着剤により固設されている。
【０００３】
また、前記従来の傘フレームにおける前記中棒は金属製であり、上クロクと下クロクと手元とはプラスチック製であり、傘骨組みは金属製若しくはグラスファイバー製である。
【考案の開示】
【考案が解決しようとする課題】
【０００４】
しかしながら、前記固定ピンと金属線を分解することや、接着剤により連結される手元と中棒とを分解することは困難であることから、傘が壊れた時には、殆どの場合、一般ごみとして捨てられているのが現状である。故に、資源が無駄になると共に、環境汚染の1つの原因となっていた。
【０００５】
そこで、考案されたのが本考案であって、従来の傘における、廃棄時に分解不能であるとの問題を解決できる分解可能なエコ傘を提供することを目的としている。
【課題を解決するための手段】
【０００６】
本願の請求項１の考案は、連結端（６１１）と連結端（６１１）に凹設される収容孔（６１２）とを有するつまみ（６１）と、軸方向に貫通孔（６３３）が形成されると共に、一端に該貫通孔（６３３）と連通する外部掛止孔（６３２２）が径方向に穿設され、該外部掛止孔（６３２２）が穿設される端部が該連結端（６１１）から露出するように収容孔（６１２）に挿設されるスリーブ（６３）と、該外部掛止孔（６３２２）を貫通して収容孔（６１２）に挿設される位置決めピン（６４１）が設けられるピン座（６４）とを含む手元（６０）と、
パイプ体であり、下部が回転不能の状態でつまみ（６１）の収容孔（６１２）に挿入されると共に、外部掛止孔（６３２２）と対応する位置に前記位置決めピン（６４１）を収容するための内部掛止孔（１２）が形成される中棒（１０）と、
一端に扁平状の枢着プレート（４１A、４１B）が設けられると共に、該枢着プレート（４１A、４１B）に軸孔（４２A、４２B）が貫設される複数の傘骨（４０）と、
環状を呈する上ロクロ（２１）及び上ロクロカバー（２２）を含み、着脱可能に中棒（１０）の上段に環装される上ロクロ装置（２）と、
環状を呈する下ロクロ（３１）及び下ロクロ座（３２）を含み、前記上ロクロ装置（２）の下方において摺動可能に中棒（１０）に環装される下ロクロ装置（３）と、
前記中棒（１０）の上段に環装され、前記上ロクロ装置（２）を中棒（１０）に固定させるための先端部（５０）と、
前記各傘骨（４０）に支持される傘布とを備え、
前記上ロクロ（２１）の外周縁に所定間隔をおいて対向し合う、側壁部（２１３１）を有する複数の傘骨溝（２１３）が凹設され、該各側壁部（２１３１）に前記軸孔（４２A）に挿設可能な枢軸（２１３３）が突設され、
前記上ロクロカバー（２２）は、上ロクロ（２１）の上方に取り付けられ、該上ロクロカバー（２２）における、上ロクロ（２１）の傘骨溝（２１３）と対応する位置に、該傘骨溝（２１３）内の２つの枢軸（２１３３）の間に位置する位置決めブロック（２２２）が突設され、
前記下ロクロ（３１）の外周縁に所定間隔をおいて対向し合う、側壁部（３１２１）を有する複数の傘骨溝（３１２）が凹設され、該各側壁部（３１２１）に前記軸孔（４２B）に挿設可能な枢軸（３１２３）が突設され、
前記下ロクロ座（３２）は、下ロクロ（３１）の下方に取り付けられ、該下ロクロ座（３２）における、下ロクロ（３１）の傘骨溝（３１２）と対応する位置に、該傘骨溝（３１２）内の２つの枢軸（３１２３）の間に位置する位置決めブロック（３２３）が突設されることを特徴とするエコ傘、を提供する。
【０００７】
本願の請求項２の考案は、前記上ロクロ（２１）における各傘骨溝（２１３）の２つの側壁部（２１３１）の間に、更に係合溝（２１３４）を有する中央壁部（２１３２）が設けられ、該係合溝（２１３４）と上ロクロ（２１）の下端との隣接部位に位置決めプレート（２１３５）が突設され、該位置決めプレート（２１３５）から側壁部（２１３１）までの距離が、前記傘骨（４０）の枢着プレート（４１A）の幅と対応し、
前記上ロクロカバー（２２）における各位置決めブロック（２２２）に、前記上ロクロ（２１）における傘骨溝（２１３）の２つの側部壁（２１３１）と対応する２つの端壁部（２２２１）と、該２つの端壁部（２２２１）の間に位置し、前記係合溝（２１３４）に進入可能な前側壁部（２２２２）とが設けられると共に、該端壁部（２２２１）に、傘骨溝（２１３）内の枢軸（２１３３）の自由端を収容するための軸溝（２２２３）が凹設され、
前記下ロクロ（３１）における各傘骨溝（３１２）の２つの側壁部（３１２１）の間に、更に係合溝（３１２４）を有する中央壁部（３１２２）が設けられ、該係合溝（３１２４）と下ロクロ（３１）の上端との隣接部位に位置決めプレート（３１２５）が突設され、該位置決めプレート（３１２５）から側壁部（３１２１）までの距離が、前記傘骨（４０）の枢着プレート（４１B）の幅と対応し、
前記下ロクロ座（３２）における各位置決めブロック（３２３）に、前記下ロクロ（３１）における傘骨溝（３１２）の２つの側部壁（３１２１）と対応する２つの端壁部（３２３１）と、該２つの端壁部（３２３１）の間に位置し、前記下ロクロ（３１）の傘骨溝（３１２）における係合溝（３１２４）に進入可能な前側壁部（３２３２）とが設けられると共に、該端壁部（３２３１）に、傘骨溝（３１２）内の枢軸（３１２３）の自由端を収容するための軸溝（３２３３）が凹設されることを特徴とする請求項１に記載のエコ傘、を提供する。
【０００８】
本願の請求項３の考案は、前記中棒（１０）の底部には、中棒（１０）から露出する円柱状の位置決め柱（１３１）を有する方向決め部材（１３）が回転不能に固設され、
前記つまみ（６１）における収容孔（６１２）の壁面に軸方向に沿って位置決め溝（６１３）が凹設されると共に、底部に中棒（１０）の下部を収容するための挿入溝（６１４）が凹設され、該挿入溝（６１４）の底部に更に前記位置決め柱（１３１）の形状と対応する位置決め穴（６１５）が凹設され、
前記スリーブ（６３）は、前記つまみ（６１）における収容孔（６１２）のサイズに対応するチューブ体である埋設部（６３１）と、軸方向と径方向に沿って前記埋設部（６３１）の一端から延出するように設けられるヘッド部（６３２）を有し、該埋設部（６３１）とヘッド部（６３２）に前記貫通孔（６３３）が形成されると共に、埋設部（６３１）の外部に位置決め凸部（６３１１）が軸方向に沿って突設され、該ヘッド部（６３２）に切欠部（６３２１）が形成されると共に、切欠部（６３２１）から前記外部掛止孔（６３２２）と２つの固定ピン孔（６３２３）が径方向に穿設され、
前記ピン座（６４）に、固定ピン孔（６３２３）に挿設するための２つの固定ピン（６４２）が設けられることを特徴とする請求項２に記載のエコ傘、を提供する。
【０００９】
本願の請求項４の考案は、前記位置決め柱（１３１）に欠切面が軸方向に形成されると共に、前記位置決め穴（６１５）が該位置決め柱（１３１）の形状と対応するように形成されることを特徴とする請求項３に記載のエコ傘、を提供する。
【００１０】
本願の請求項５の考案は、前記上ロクロカバー（２２）に貫通孔（２２１）が形成され、
前記上ロクロ（２１）の下端中央から軸方向に沿って結合部（２１１）が突設され、該結合部（２１１）に、上ロクロ（２１）の上端と連通する貫通孔（２１２）が形成されると共に、該貫通孔（２１２）の内壁から内部径方向に向かって突出ブロック（２１２２）が延設され、
前記中棒（１０）の上端は上ロクロ（２１）の貫通孔（２１２）に挿設されると共に、該上端に前記突出ブロック（２１２２）を係合するための切欠部（１１）が軸方向に形成されることを特徴とする請求項４に記載のエコ傘、を提供する。
【００１１】
本願の請求項６の考案は、前記上ロクロ（２１）の貫通孔（２１２）の上端内壁に内側へ延出するように、前記中棒（１０）の上端が当接する当接部（２１２１）が設けられ、
前記上ロクロカバー（２２）の貫通孔（２２１）の内壁に内側へ延出するように当接部（２２１１）が設けられ、
前記先端部（５０）は、一端に開口を有する中空の棒体である延伸管（５１）と、一側に位置し、延伸管（５１）の開口に螺合される上ネジ部（５２２）と、反対する側に位置する下ネジ部（５２１）と、両側の間に位置すると共に、径方向に向かって延設する突縁部（５２３）とを有する棒状の固定部材（５２）と、延伸管（５１）に取り付けられ、固定部材（５２）の上半部の周囲を被包するキャップ（５３）とを備え、該固定部材（５２）における下ネジ部（５２１）は、中棒（１０）の上端に螺合されると共に、該突縁部（５２３）は、上ロクロカバー（２２）における貫通孔（２２１）内の当接部（２１２１）に当接されることを特徴とする請求項５に記載のエコ傘、を提供する。
【００１２】
本願の請求項７の考案は、前記下ロクロ（３１）の中央に前記中棒（１０）を挿入するための開口（３１１）が形成され、該開口（３１１）の内壁における相対する２つの位置に夫々凹溝（３１１１）が軸方向に沿って形成され、
前記下ロクロ座（３２）の中央に前記中棒（１０）を挿入するための貫通孔（３２１）が形成されると共に、その上段に径方向へ延出するツバ（３２２）、及び上方へ延出する、前記下ロクロ（３１）の開口（３１１）に挿入可能な中空の結合部（３２４）が設けられ、
前記ツバ（３２２）に前記位置決めブロック（３２３）が形成され、
前記結合部（３２４）における開口（３１１）側の面に、該凹溝（３１１１）内に移動可能な雄ネジ部（３２４１）が突設され、前記下ロクロ（３１）と下ロクロ座（３２）とを組み合わせ、これにより、下ロクロ（３１）の下端が下ロクロ座（３２）のツバ（３２２）に当接する時、該雄ネジ部（３２４１）は該凹溝（３１１１）から露出し、
前記下ロクロ装置（３）は更に中空の環状体である固定環状部材（３３）を含み、該固定環状部材（３３）の内面に前記結合部の雄ネジ部（３２４１）と螺合可能な雌ネジ部（３３１）が形成されることを特徴とする請求項１乃至６のいずれか一項に記載のエコ傘、を提供する。
【００１３】
願の請求項８の考案は、前記上ロクロカバー（２２）の外壁に少なくとも２つの係合プレート（２２３）が間隔をおいて突設され、該各係合プレート（２２３）は、前記上ロクロ（２１）における隣接する２つの傘骨溝（２１３）の間と対応する位置に設けられると共に、末端に上ロクロカバー（２２）の中央に向かって湾曲する湾曲部（２２３１）が形成され、該上ロクロカバー（２２）と上ロクロ（２１）とを組み合わせて上ロクロ（２１）の下端が上ロクロ（２１）の上端に当接する時、該湾曲部（２２３１）は上ロクロ（２１）の下端に係合されることを特徴とする請求項７のいずれか一項に記載のエコ傘、を提供する。
【００１４】
本願の請求項９の考案は、前記手元（６０）は更に板材である装飾リング（６２）を含み、該装飾リング（６２）には、貫通孔（６２１）が形成されると共に、その貫通孔（６２１）の内周面にと上部嵌合段部（６２２）及び下部嵌合段部（６２３）が形成され、
前記つまみ（６１）における連結端（６１１）は、前記下部嵌合段部（６２３）に嵌合され、
前記スリーブ（６３）は、前記埋設部（６３１）と位置決め凸部（６３１１）が前記貫通孔（６２１）を通過して前記収容孔（６１２）と前記位置決め溝（６１３）に挿設されると共に、ヘッド部（６３２）が前記上部嵌合段部（６２２）に嵌合されるようにつまみ（６１）と装飾リング（６２）とに組み合わせられることを特徴とする請求項８に記載のエコ傘、を提供する。
【００１５】
本願の請求項１０の考案は、前記傘骨（４０）における枢着プレート（４１A，４１B）の端部は弧状に形成されると共に、前記下ロクロ座（３２）のツバ（３２２）における、各位置決めブロック（３２３）の端壁部（３２３１）と隣接する位置にそれぞれ、枢着プレート（４１B）の端部の形状と対応する弧状溝（３２２１）が形成されることを特徴とする請求項９に記載のエコ傘、を提供する。
【考案の効果】
【００１６】
本考案は上記の課題を解決するものであり、上ロクロ装置と下ロクロ装置が２つの部材によって構成されることから、傘を廃棄するときには、先ず上ロクロ装置と下ロクロ装置とを分解して傘骨を上ロクロ装置と下ロクロから分離させ、次にピン座（６４）を取り外して中棒と手元を分離させ、更に先端部材を中棒から取り外せば、容易に各部材を材質別に分別することができる。故に、この構成によれば、使用者は自ら簡単に傘を分解できるので、資源のリサイクルや環境汚染の防止に非常に役立つ。
【考案を実施するための形態】
【００１７】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【００１８】
図１は本考案に係るエコ傘の斜視図であり、図２は本考案における中棒と手元の分解斜視図であり、図３は本考案における中棒と手元とを組み合わせた状態を示す部分断面図であり、図４（１〜６）は本考案における位置決め柱と位置決め穴の各実施例を示す拡大断面図であり、図５は本考案における親骨と受け骨との連結部位を示す拡大斜視図であり、図６は本考案における中棒、下ロクロ及び傘骨の分解斜視図であり、図７は本考案における中棒、下ロクロ及び傘骨を組み合わせた状態を示す部分分解断面図であり、図８は本考案における中棒、上ロクロ、傘骨及び先端部の分解斜視図であり、図９は本考案における上ロクロの底面視斜視図であり、図１０は本考案における上ロクロカバーの底面視斜視図であり、図１１は本考案における中棒、上ロクロ、傘骨及び先端部を組み合わせた状態を示す拡大部分断面図である。
【００１９】
図１に示すように、本考案に係るエコ傘は、中棒（１０）と、該中棒（１０）の上部に取り付けられる上ロクロ（２１）と、該中棒（１０）上において摺動可能に取り付けられる下ロクロ（３１）と、該上ロクロ（２１）若しくは下ロクロ装置（３）に枢設される複数の傘骨（４０）と、中棒（１０）の上部に取り付けられる先端部材（５０）と、中棒（１０）の下部に取り付けられる手元（６０）と、前記傘骨（４０）に支持される傘布（７０）とを備える。
【００２０】
図２及び図３に示すように、中棒（１０）はパイプ体であり、その下部の近隣に外部掛止孔（６３２２）が形成されると共に、下部に中棒（１０）から露出する円柱状の位置決め柱（１３１）を有する方向決め部材（１３）が設けられる。また、該方向決め部材（１３）を回転不能に中棒（１０）に固設するため、中棒（１０）の下部に係止凹部（１４）が形成されると共に、方向決め部材（１３）には、該係止凹部（１４）に嵌合する係止突起（１３２）が形成される。
【００２１】
図２及び図３に示すように、手元（６０）は、つまみ（６１）と、装飾リング（６２）と、スリーブ（６３）とピン座（６４）とを含み、該つまみ（６１）は、連結端（６１１）と、連結端（６１１）に凹設される収容孔（６１２）とを有する湾曲状の棒体である。該収容孔（６１２）の壁面には、軸方向に沿って位置決め溝（６１３）が凹設されると共に、底部に挿入溝（６１４）が凹設され、該挿入溝（６１４）の底部に更に位置決め穴（６１５）が凹設される。
【００２２】
前記装飾リング（６２）は板材であり、貫通孔（６２１）が形成されると共に、その貫通孔（６２１）に上部嵌合段部（６２２）と、下部嵌合段部（６２３）とが形成される。
【００２３】
前記スリーブ（６３）は、前記つまみ（６１）における収容孔（６１２）のサイズに対応するチューブ体である埋設部（６３１）と、前記装飾リング（６２）における上部嵌合段部（６２２）のサイズに対応し、軸方向と径方向に沿って該埋設部（６３１）の一端から延出するように設けられるヘッド部（６３２）を有し、該埋設部（６３１）とヘッド部（６３２）に軸方向の貫通孔（６３３）が形成されると共に、該埋設部（６３１）の外部に位置決め凸部（６３１１）が軸方向に沿って突出して形成され、該ヘッド部（６３２）に切欠部（６３２１）が形成されると共に、該切欠部（６３２１）から貫通孔（６３３）へ連通する外部掛止孔（６３２２）と２つの固定ピン孔（６３２３）が所定間隔をおいて径方向に穿設される。
【００２４】
前記ピン座（６４）には、前記切欠部（６３２１）に設置されると共に、前記外部掛止孔（６３２２）に挿設される位置決めピン（６４１）と、前記固定ピン孔（６３２３）に挿設される２つの固定ピン（６４２）とが設けられる。
【００２５】
図２，３に示すように、中棒（１０）と手元（６０）を組み合わせる時には、先ずつまみ（６１）における連結端（６１１）を装飾リング（６２）における下部嵌合段部（６２３）に嵌合させる。次にスリーブ（６３）を、埋設部（６３１）と位置決め凸部（６３１１）が装飾リング（６２）における貫通孔（６２１）を通過してそれぞれつまみ（６１）における収容孔（６１２）と位置決め溝（６１３）に挿設されると共に、ヘッド部（６３２）が、外部掛止孔（６３２２）が装飾リング（６２）から露出するように上部嵌合段部（６２２）に嵌合されるように設置する。且つ固定手段（例えば、接着剤など）によりスリーブ（６３）とつまみ（６１）とを回転不能且つ離脱不能に組み合わせて、該中棒（１０）をスリーブ（６３）とつまみ（６１）に挿設する。更にピン座（６４）における位置決めピン（６４１）を外部掛止孔（６３２２）と内部掛止孔（１２）に挿設して中棒（１０）とスリーブ（６３）とを互いに固定させればよい。
この構成によれば、組み合わせ作業が容易にできると共に、ピン座（６４）をはずせば中棒（１０）と手元（６０）を分解できる。
【００２６】
また、つまみ（６１）の中棒（１０）に対する回転を抑制するために、前記位置決め柱（１３１）に欠切面が軸方向に形成される。前記位置決め穴（６１５）は、該位置決め柱（１３１）の形状と対応するように形成される。
尚、本実施例においては、位置決め柱（１３１）に相対するように２つの欠切面が形成されるが、位置決め柱（１３１）を図４の（２乃至６）に示すように、六角形、矩形、三角形、欠切面が形成される円柱、周縁に４つの切欠が等間隔に形成される円柱のいずれかに形成してもよい。
【００２７】
図６及び図８に示すように、前記傘骨（４０）は親骨（４０A）と、受け骨（４０B）とを含む。上ロクロ装置（２）若しくは下ロクロ装置（３）に枢設される一端に端部が弧状で且つ全体が扁平状の枢着プレート（４１A、４１B）が設けられ、該枢着プレート（４１A、４１B）に軸孔（４２A、２４B）が穿通される。
図５に示すように、前記親骨（４０A）における中央部に枢孔（４４A）が形成される２つの片部（４３A）が隣設され、前記受け骨（４０B）における他端は、該２つの片部（４３A）の間に進入可能であると共に、該端に枢孔（４４A）に枢設するロッド（４３B）が突設される。
【００２８】
図６示すように、前記下ロクロ装置（３）は、環状を呈する下ロクロ（３１）と、下ロクロ座（３２）と、固定環状部材（３３）とを含み、該下ロクロ（３１）の中央に前記中棒（１０）を挿入するための開口（３１１）が形成され、該開口（３１１）の内壁における相対する２つの位置に夫々凹溝（３１１１）が軸方向に沿って形成され、また、下ロクロ（３１）の外周縁に、所定間隔をおいて対向し合う２つの側壁部（３１２１）と該２つの側壁部（３１２１）の間に位置する中央壁部（３１２２）を有する複数の傘骨溝（３１２）が凹設されると共に、該下ロクロ（３１）に四つの傘骨溝（３１２）が設けられる。
更に、前記各側壁部（３１２１）には、前記受け骨（４０Ｂ）における枢着プレート（４１Ｂ）の軸孔（４２Ｂ）に挿設可能な枢軸（３１２３）が突設され、前記各中央壁部（３１２２）にそれぞれ係合溝（３１２４）が形成されると共に、該係合溝（３１２４）と下ロクロ（３１）の上端との隣接部位に位置決めプレート（３１２５）が突設され、該位置決めプレート（３１２５）から側壁部（３１２１）までの距離は、受け骨（４０Ｂ）の枢着プレート（４１Ｂ）の幅と対応する。
【００２９】
前記下ロクロ座（３２）は、環状を呈し、その中央に前記中棒（１０）を挿入するための貫通孔（３２１）が形成されると共に、上段に径方向へ延出するツバ（３２２）が設けられ、該ツバ（３２２）に該傘骨溝（３１２）内の２つの枢軸（３１２３）の間に位置する複数の位置決めブロック（３２３）が突設される。
更に、前記各位置決めブロック（３２３）は夫々、傘骨溝（３１２）の２つの側部壁（３１２１）と対応すると共に、前記枢軸（３１２３）の自由端を収容するための軸溝（３２３３）が凹設される２つの端壁部（３２３１）と、該２つの端壁部（３２３１）の間に位置すると共に、前記中央壁部（３１２２）における係合溝（３１２４）に進入可能な前側壁部（３２３２）とを有する。
また、前記ツバ（３２２）における、各位置決めブロック（３２３）の端壁部（３２３１）と隣接する位置にそれぞれ、前記受け骨（４０B）における枢着プレート（４１B）の端部の形状と対応する弧状溝（３２２１）が形成される。
【００３０】
前記下ロクロ座（３２）の上端に更に前記下ロクロ（３１）の開口（３１１）に挿入可能な中空の結合部（３２４）が設けられ、該各結合部（３２４）における開口（３１１）側の面に、該凹溝（３１１１）内に移動可能な雄ネジ部（３２４１）が突設され、これにより、前記下ロクロ（３１）と下ロクロ座（３２）とを組み合わせ、下ロクロ（３１）の下端が下ロクロ座（３２）のツバ（３２２）に当接する時、該雄ネジ部（３２４１）は該係合溝（３１１２）からに露出する。
【００３１】
前記固定環状部材（３３）は、中空の環状体であり、該固定環状部材（３３）の内面に前記結合部の雄ネジ部（３２４１）と螺合可能な雌ネジ部（３３１）が形成される。
【００３２】
図３に示すように、前記受け骨（４０B）、下ロクロ装置（３）及び中棒（１０）を組み合わせる時は、先ず固定環状部材（３３）と、下ロクロ座（３２）における貫通孔（３２１）と、下ロクロ（３１）における開口（３１１）に中棒（１０）を挿設し、該各受け骨（４０B）における枢着プレート（４１B）を下ロクロ（３１）における傘骨溝（３１２）内に進入させて前記枢軸（３１２３）を軸孔（４２B）に挿設させ、次に該枢着プレート（４１B）が位置決めプレート（３１２５）と側壁部（３１２１）の間に位置するように受け骨（４０B）を回転させ、更に雄ネジ部（３２４１）が凹溝（３１１１）から上方に移動して下ロクロ（３１）から露出するように下ロクロ（３１）と下ロクロ座（３２）とを組み合わせ、最後に固定環状部材（３３）を結合部に結合させればよい。この構成によれば、固定環状部材（３３）と結合部を分解させば下ロクロ（３１）と下ロクロ座（３２）とを分解できるので、短時間で容易に組み合わせ作業を行うことができる。
【００３３】
図８、図９及び図１１に示すように、前記上ロクロ装置（２）は、上ロクロ（２１）及び上ロクロカバー（２２）を含む。該上ロクロ（２１）は、環状を呈し、その下端中央から軸方向に沿って結合部（２１１）が突設され、該結合部（２１１）に、上ロクロ（２１）の上端と連通する貫通孔（２１２）が形成されると共に、該貫通孔（２１２）の上端内壁における、上ロクロ（２１）の上端と隣接する位置に当接部（２１２１）が設けられる。また、前記上ロクロ（２１）の外周縁に、所定間隔をおいて対向し合う側壁部（２１３１）と、該２つの側壁部（２１３１）の間に位置する中央壁部（２１３２）とを有する複数の傘骨溝（２１３）が凹設される。本実施例においては、上ロクロ（２１）に四つの傘骨溝（２１３）が設けられる。前記各側壁部（２１３１）に前記親骨（４０A）における枢着プレート（４１A）の軸孔（４２A）に挿設可能な枢軸（２１３３）が突設され、前記各中央壁部（２１３２）に係合溝（２１３４）が形成されると共に、該係合溝（２１３４）と上ロクロ（２１）の下端との隣接部位に位置決めプレート（２１３５）が突設される。該位置決めプレート（２１３５）と２つの側壁部（２１３１）のいずれかの距離は、親骨（４０A）の枢着プレート（４１A）の幅と対応している。
【００３４】
図１０及び図１１に示すように、前記上ロクロカバー（２２）は、環状を呈し、その中央に貫通孔（２２１）が形成されると共に、該貫通孔（２２１）の内壁に内側へ延出するように当接部（２２１１）が設けられ、上ロクロカバー（２２）の下端における、上ロクロ（２１）の傘骨溝（２１３）と対応する位置に、該傘骨溝（２１３）内の２つの枢軸（２１３３）の間に位置する位置決めブロック（２２２）が突設される。
また、前記各位置決めブロック（２２２）は夫々、傘骨溝（２１３）における２つの側部壁（２１３１）と対応すると共に、前記枢軸（２１３３）の自由端を収容するための軸溝（２２２３）が凹設される２つの端壁部（２２２１）と、該２つの端壁部（２２２１）の間に位置すると共に、前記中央壁部（２１３２）における係合溝（２１３４）に進入可能な前側壁部（２２２２）とを有する。
【００３５】
図１１に示すように、親骨（４０A）、上ロクロ装置（２）及び中棒（１０）を組み合わせる時は、先ず上ロクロ（２１）における貫通孔（２１２）に中棒（１０）を挿設して中棒（１０）の上端を当接部（２１２１）に当接させる。そして該各親骨（４０A）における枢着プレート（４１A）を対応する上ロクロ（２１）における傘骨溝（２１３）内に進入させて枢軸（２１３３）を軸孔（４２A）に挿設させる。次に枢着プレート（４１A）が位置決めプレート（２１３５）と側壁部（２１３１）の間に位置するように親骨（４０A）を回転させる。更に上ロクロ（２１）と上ロクロカバー（２２）とを組み合わせればよい。
【００３６】
また、前記上ロクロカバー（２２）を確実に上ロクロ（２１）に取り付けるため、該上ロクロカバー（２２）の外壁に少なくとも２つの係合プレート（２２３）が間隔をおいて突設される。該各係合プレート（２２３）は、上ロクロ（２１）における隣接する２つの傘骨溝（２１３）の間と対応する位置に設けられると共に、末端に上ロクロカバー（２２）の中央に向かって湾曲する湾曲部（２２３１）が形成され、該上ロクロカバー（２２）と上ロクロ（２１）とを組み合わせて上ロクロ（２１）の下端が上ロクロ（２１）の上端に当接する時、該湾曲部（２２３１）は上ロクロ（２１）の下端に係合される。
更に、前記上ロクロ（２１）の外壁における、前記係合プレート（２２３）と対応する部位が、該係合プレート（２２３）の幅と対応するようにより小さく形成され、上ロクロ（２１）と上ロクロカバー（２２）とを組み合わせた時、上ロクロ（２１）と上ロクロカバー（２２）、の外壁は同一円周面に位置する。
【００３７】
図８及び図１１に示すように、先端部（５０）は、一端に開口を有する中空の棒体である延伸管（５１）と、棒状の固定部材（５２）と、キャップ（５３）とを含む。該固定部材（５２）は、一側に位置し、延伸管（５１）の開口に螺合可能な上ネジ部（５２２）と、反対する側に位置する、中棒（１０）の上部に螺合可能な下ネジ部（５２１）と、両側の間に位置すると共に、径方向に向かって延設する突縁部（５２３）とを有する。該突縁部（５２３）の直径は、上ネジ部（５２２）と下ネジ部（５２１）より大きく、上ロクロ（２１）における貫通孔（２２１）の内径と対応するように設計される。
この構成によれば、固定部材（５２）を中棒（１０）の上部に取り付けると、その突縁部（５２３）が上ロクロカバー（２２）における当接部（２２１１）に当接され、上ロクロ（２１）が中棒（１０）の上部に固定される。
また、前記キャップ（５３）は、結合ピン（５４）により延伸管（５１）に取り付けられ、固定部材（５２）の上半部の周囲を被包する。
【００３８】
また、図９及び図１１に示すように、上ロクロ（２１）の中棒（１０）に対する回転を抑制するために、該上ロクロ（２１）における貫通孔（２１２）の内壁から内部径方向に向かって突出ブロック（２１２２）が延設され、該中棒（１０）の上端に、該突出ブロック（２１２２）を係合することにより両者の回転を抑制するための切欠部（１１）が軸方向に設けられる。
【産業上の利用可能性】
【００３９】
本考案は上記の構成を有することから、組み立てまたは分解作業が容易にでき、傘を廃棄するときには、簡単に各部材を分解することができるので、分解し難い従来の傘と比べて、資源のリサイクルや環境汚染の防止に非常に役立つ。
【図面の簡単な説明】
【００４０】
【図１】本考案に係るエコ傘を示す斜視図である。
【図２】本考案における中棒と手元の分解斜視図である。
【図３】本考案における中棒と手元とを組み合わせた状態を示す部分断面図である。
【図４】本考案における位置決め柱と位置決め穴の各実施例を示す拡大断面図である。
【図５】本考案における親骨と受け骨との連結部位を示す拡大斜視図である。
【図６】本考案における中棒、下ロクロ及び傘骨の分解斜視図である。
【図７】本考案における中棒、下ロクロ及び傘骨を組み合わせた状態を示す部分分解断面図である。
【図８】本考案における中棒、上ロクロ、傘骨及び先端部の分解斜視図である。
【図９】本考案における上ロクロの底面視斜視図である。
【図１０】本考案における上ロクロカバーの底面視斜視図である。
【図１１】本考案における中棒、上ロクロ、傘骨及び先端部を組み合わせた状態を示す拡大部分断面図である。
【符号の説明】
【００４１】
１０        中棒
１１        切欠部
１２        内部掛止孔
１３        方向決め部材
１３１      位置決め柱
１３２      係止突起
１４        係止凹部
２          上ロクロ装置
２１        上ロクロ
２１１      結合部
２１２      貫通孔
２１２１    当接部
２１２２    突出ブロック
２１３      傘骨溝
２１３１    側壁部
２１３２    中央壁部
２１３３    枢軸
２１３４    係合溝
２１３５    位置決めプレート
２２        上ロクロカバー
２２１      貫通孔
２２１１    当接部
２２２      位置決めブロック
２２２１    端壁部
２２２２    前側壁部
２２２３    軸溝
２２３      係合プレート
２２３１    湾曲部
３          下ロクロ装置
３１        下ロクロ
３１１      開口
３１１１    凹溝
３１２      傘骨溝
３１２１    側壁部
３１２２    中央壁部
３１２３    枢軸
３１２４    係止溝
３１２５    位置決めプレート
３２        下ロクロ座
３２１      貫通孔
３２２      ツバ
３２２１    弧状溝
３２３      位置決めブロック
３２３１    端壁部
３２３２    前側壁部
３２３３    軸溝
３２４      結合プレート
３２４１    雄ネジ部
３３        固定環状部材
３３１      雌ネジ部
４０        傘骨
４０A      親骨
４０B      受け骨
４１A、４１B    枢着プレート
４２A、４２B    軸孔
４３A        片部
４３B        ロッド
４４A        枢孔
５０        先端部
５１        延伸管
５２        固定部材
５２１      下ネジ部
５２２      上ネジ部
５２３      突縁部
５３        キャップ
５４        結合ピン
６０        手元
６１        つまみ
６１１      連結端
６１２      収容孔
６１３      位置決め溝
６１４      挿入溝
６１５      位置決め穴
６２        装飾リング
６２１      貫通孔
６２２      上部嵌合段部
６２３      下部嵌合段部
６３        スリーブ
６３１      埋設部
６３１１    位置決め凸部
６３２      ヘッド部
６３２１    切欠部
６３２２    外部掛止孔
６３２３    固定ピン孔
６３３      貫通孔
６４        ピン座
６４１      位置決めピン
６４２      固定ピン
７０        傘布
【図１】
0003151542.tif 000003
【図２】
0003151542.tif 000004
【図３】
0003151542.tif 000005
【図４】
0003151542.tif 000006
【図５】
0003151542.tif 000007
【図６】
0003151542.tif 000008
【図７】
0003151542.tif 000009
【図８】
0003151542.tif 000010
【図９】
0003151542.tif 000011
【図１０】
0003151542.tif 000012
【図１１】
0003151542.tif 000013